(57)【要約】【課題】二つの容器本体の内部に一つの容器本体を収容して組み合わせた三個一組の容器本体を安定して集積させることが可能な輸送用容器を提供する。【解決手段】容器本体１０は、底壁１１と、底壁１１の周囲に立設されて開口部１０ａを画定する側壁１２とを有する。側壁１２は、開口部１０ａを囲む上面１２ａの周方向に並んだ複数の凹部１２ｂと複数の凸部１２ｃを有する。複数の凹部１２ｂと複数の凸部１２ｃは、それぞれ開口部１０ａの中心点に点対称に配置され、二つの容器本体１０の開口部１０ａを対向させて重ね合せたときに、一方の容器本体１０の複数の凹部１２ｂと複数の凸部１２ｃとが、それぞれ、他方の容器本体１０の複数の凸部１２ｃと複数の凹部１２ｂとに嵌合する位置に設けられている。【選択図】図３Ｂ
2020019507.tif 000002
【特許請求の範囲】
【請求項１】
一端に開口部を有する矩形箱型の容器本体を備え、前記開口部を対向させて重ね合せた二つの前記容器本体の内部に一つの前記容器本体を収容可能な輸送用容器であって、
前記容器本体は、底壁と、該底壁の周囲に立設されて前記開口部を画定する側壁と、を有し、
前記側壁は、前記開口部を囲む上面の周方向に並んだ複数の凹部と複数の凸部を有し、
前記複数の凹部と前記複数の凸部は、それぞれ前記開口部の中心点に点対称に配置され、二つの前記容器本体の前記開口部を対向させて重ね合せたときに一方の前記容器本体の前記複数の凹部と前記複数の凸部とがそれぞれ他方の前記容器本体の前記複数の凸部と前記複数の凹部とに嵌合する位置に設けられていることを特徴とする輸送用容器。
【請求項２】
前記底壁は、下面に複数の底凹部と複数の底凸部とを有し、
前記複数の底凹部と前記複数の底凸部は、それぞれ前記底壁の前記下面の中心点に点対称に配置され、二つの前記容器本体の前記底壁を対向させて重ね合せたときに一方の前記容器本体の前記複数の底凹部と前記複数の底凸部とがそれぞれ他方の前記容器本体の前記複数の底凸部と前記複数の底凹部とに嵌合する位置に設けられていることを特徴とする請求項１に記載の輸送用容器。
【請求項３】
前記複数の底凸部は、前記底壁の前記下面の環状の周縁部の内縁に沿って配置され、二つの前記容器本体を一方の前記容器本体の前記開口部に他方の前記容器本体の前記底壁を対向させて重ね合せたときに、前記他方の前記容器本体の前記複数の底凸部が前記一方の前記容器本体の前記開口部の内側に嵌合する位置に設けられていることを特徴とする請求項２に記載の輸送用容器。
【請求項４】
前記底壁は、前記下面の前記周縁部に複数の周縁凹部を有し、
前記複数の周縁凹部は、前記周縁部の周方向に互いに間隔をあけて配置され、二つの前記容器本体を一方の前記容器本体の前記開口部に他方の前記容器本体の前記底壁を対向させて重ね合せたときに、前記一方の前記容器本体の前記複数の凸部が前記他方の前記容器本体の前記複数の周縁凹部に嵌合する位置に設けられていることを特徴とする請求項３に記載の輸送用容器。
【請求項５】
前記複数の底凹部と前記複数の底凸部は、前記底壁の前記下面の縦方向と横方向において、それぞれ等間隔に交互に配置されていることを特徴とする請求項２から請求項４のいずれか一項に記載の輸送用容器。
【請求項６】
前記凹部および前記凸部、前記底凹部および前記底凸部、ならびに前記周縁凹部は、前記底壁に垂直な高さ方向から見た平面視で円形であることを特徴とする請求項４に記載の輸送用容器。
【請求項７】
前記底凸部の前記高さ方向に垂直な断面における断面積は、前記凸部の前記高さ方向に垂直な断面における断面積よりも大きいことを特徴とする請求項６に記載の輸送用容器。
【請求項８】
前記容器本体の前記底壁に垂直な方向を高さ方向、該高さ方向に垂直で前記底壁の一側縁に沿う方向を縦方向、該縦方向および前記高さ方向に垂直な方向を横方向としたときに、
前記容器本体は、前記縦方向の外寸が前記高さ方向の内寸の２倍以下であり、前記横方向の外寸が前記縦方向の内寸以下であり、前記高さ方向の外寸が前記横方向の内寸以下であることを特徴とする請求項１に記載の輸送用容器。
【発明の詳細な説明】
【技術分野】
【０００１】
本開示は、輸送用容器に関する。
【背景技術】
【０００２】
従来から青果物や魚介類等の生鮮食品の保冷・搬送に用いられる発泡容器に関する発明が知られている（下記特許文献１を参照。）。特許文献１は、ブロッコリ等を収容する前の容器本体の搬送時に、コンパクト化のために同形状の三個の容器本体が三個一組で梱包される様子を開示している（同文献、第００２４段落および図９を参照。）。
【先行技術文献】
【特許文献】
【０００３】
【特許文献１】特開２００４−１１５１０１号公報
【発明の概要】
【発明が解決しようとする課題】
【０００４】
通函または通い箱などの輸送用容器は、たとえば、いくつかの拠点間を循環して繰り返し使用される。より具体的には、たとえば、発送拠点で容器に内容物が収容されて受取先へ発送され、空になった容器が受取先から輸送拠点に回収されて発送拠点へ戻される。このような輸送用容器は、内容物が収容されていない空の状態で、複数の容器をコンパクトに集積させることが要求される。
【０００５】
前記特許文献１に記載された発泡容器は、前述のように、生鮮食品を収容する前の二つの容器本体の内部に一つの容器本体を収容し、容器本体を三個一組で組み合わせることにより、複数の容器本体をコンパクトに集積させることができる。しかしながら、この従来の発泡容器は、たとえば、三個一組に組み合わされた容器本体を集積させるときに、組み合わされた容器本体が崩れ、安定して集積させることが困難になるおそれがある。
【０００６】
本開示は、二つの容器本体の内部に一つの容器本体を収容して組み合わせた三個一組の容器本体を従来よりも安定して集積させることが可能な輸送用容器を提供する。
【課題を解決するための手段】
【０００７】
本開示の一態様は、一端に開口部を有する矩形箱型の容器本体を備え、前記開口部を対向させて重ね合せた二つの前記容器本体の内部に一つの前記容器本体を収容可能な輸送用容器であって、前記容器本体は、底壁と、該底壁の周囲に立設されて前記開口部を画定する側壁と、を有し、前記側壁は、前記開口部を囲む上面の周方向に並んだ複数の凹部と複数の凸部を有し、前記複数の凹部と前記複数の凸部は、それぞれ前記開口部の中心点に点対称に配置され、二つの前記容器本体の前記開口部を対向させて重ね合せたときに一方の前記容器本体の前記複数の凹部と前記複数の凸部とがそれぞれ他方の前記容器本体の前記複数の凸部と前記複数の凹部とに嵌合する位置に設けられていることを特徴とする輸送用容器である。
【０００８】
この構成により、開口部を対向させて重ね合せた二つの容器本体の内部に一つの容器本体を収容することができ、三つの容器本体を二つの容器本体の大きさでコンパクトに集積させることができる。また、開口部を対向させて重ね合せた二つの容器本体は、一方の容器本体の凸部が他方の容器本体の凹部に嵌合し、他方の容器本体の凸部が一方の容器本体の凹部に嵌合する。
【０００９】
これにより、開口部を対向させて重ね合せた二つの容器本体を組み合わせて一体化させることができる。したがって、複数の凸部と複数の凹部を互いに嵌合させて一体化させた二つの容器本体の内部に一つの容器本体を収容することができ、三個一組に組み合わせた容器本体の崩れが防止され、三個一組の容器本体を従来よりも安定して集積させることが可能になる。
【００１０】
上記の態様の輸送用容器において、前記底壁は、下面に複数の底凹部と複数の底凸部とを有し、前記複数の底凹部と前記複数の底凸部は、それぞれ前記底壁の前記下面の中心点に点対称に配置され、二つの前記容器本体の前記底壁を対向させて重ね合せたときに一方の前記容器本体の前記複数の底凹部と前記複数の底凸部とがそれぞれ他方の前記容器本体の前記複数の底凸部と前記複数の底凹部とに嵌合する位置に設けられていてもよい。
【００１１】
この構成により、二つの容器本体の内部に一つの容器本体を収容して三個一組に組み合わせた容器本体の上に、同様に組み合わせた他の三個一組の容器本体を積み重ねたときに、上下二組の容器本体を一体化させることができる。より具体的には、一組の容器本体において、内部に一つの容器本体を収容する外側の上下二つの容器本体のうち、下の容器本体の底壁の下面が下を向いて一組の容器本体の底面になっており、上の容器本体の底壁の下面が上を向いて一組の容器本体の上面になっている。すなわち、三個一組の容器本体は、上面と下面の双方に複数の底凹部と複数の底凸部を有している。
【００１２】
そのため、一組の容器本体の上に他の一組の容器本体を積み重ねると、下の一組の容器本体の上面の複数の底凸部が、上の一組の容器本体の底面の複数の底凹部に嵌合し、上の一組の容器本体の底面の複数の底凸部が、下の一組の容器本体の上面の複数の底凹部に嵌合する。これにより、上下二組の容器本体を一体化させることができ、上下二組の容器本体の崩れが防止され、複数組の三個一組の容器本体を安定して上下に積み重ねることが可能になる。
【００１３】
上記の態様の輸送用容器において、前記複数の底凸部は、前記底壁の前記下面の環状の周縁部の内縁に沿って配置され、二つの前記容器本体を一方の前記容器本体の前記開口部に他方の前記容器本体の前記底壁を対向させて重ね合せたときに、前記他方の前記容器本体の前記複数の底凸部が前記一方の前記容器本体の前記開口部の内側に嵌合する位置に設けられていてもよい。
【００１４】
この構成により、一つの容器本体の開口部に他の一つの容器本体の底壁の下面を対向させて二つの容器本体を上下に積み重ねたときに、上の容器本体の底壁の下面の複数の底凸部が、下の容器本体の開口部の内側に嵌合する。これにより、開口部を上方に向けた二つの容器本体を上下に積み重ねて一体化させることができ、上下の容器本体の崩れを防止して複数の容器本体を安定して集積させることができる。
【００１５】
上記の態様の輸送用容器において、前記底壁は、前記下面の前記周縁部に複数の周縁凹部を有し、前記複数の周縁凹部は、前記周縁部の周方向に互いに間隔をあけて配置され、二つの前記容器本体を一方の前記容器本体の前記開口部に他方の前記容器本体の前記底壁を対向させて重ね合せたときに、前記一方の前記容器本体の前記複数の凸部が前記他方の前記容器本体の前記複数の周縁凹部に嵌合する位置に設けられていてもよい。
【００１６】
この構成により、一つの容器本体の開口部に他の一つの容器本体の底壁の下面を対向させて二つの容器本体を上下に積み重ねたときに、下の容器本体の側壁の上面の複数の凸部が、上の容器本体の底壁の下面の複数の周縁凹部に嵌合する。これにより、開口部を上方に向けた二つの容器本体を上下に積み重ねて一体化させることができ、上下の容器本体の崩れを防止して複数の容器本体を安定して集積させることができる。
【００１７】
上記の態様の輸送用容器において、前記複数の底凹部と前記複数の底凸部は、前記底壁の前記下面の縦方向と横方向において、それぞれ等間隔に交互に配置されていてもよい。
【００１８】
この構成により、容器本体を底壁の下面を下にして平坦な支持面の上に置いたときに、底壁の下面の縦方向と横方向において、それぞれ複数の底凸部が支持面にバランスよく接し、容器本体が安定する。また、複数組の三個一組の容器本体を積み重ねるときに、上の一組の容器本体の複数の底凹部に下の一組の容器本体の複数の底凸部を、下の一組の容器本体の複数の底凹部に上の一組の容器本体の複数の底凸部を、それぞれ、底壁の下面の縦方向および横方向にバランスよく嵌合させることができる。これにより、複数組の三個一組の容器本体を積み重ねるときに、上下の三個一組の容器本体の崩れを防止して複数の容器本体を安定して集積させることができる。
【００１９】
上記の態様の輸送用容器において、前記凹部および前記凸部、前記底凹部および前記底凸部、ならびに前記周縁凹部は、前記底壁に垂直な高さ方向から見た平面視で円形であってもよい。
【００２０】
この構成により、容器本体の側壁の上面の凹部または底壁の下面の周縁凹部に、他の容器本体の側壁の上面の凸部を嵌合させやすくなり、容器本体の底壁の下面の底凹部に他の容器本体の底壁の下面の底凸部を嵌合させやすくなる。また、凹部および凸部、底凹部および底凸部、ならびに周縁凹部は、底壁に垂直な高さ方向から見た平面視で角のない円形であるので、底壁に沿う方向の力を受けて欠けることが防止され、耐久性を向上させることができる。
【００２１】
上記の態様の輸送用容器において、前記底凸部の前記高さ方向に垂直な断面における断面積は、前記凸部の前記高さ方向に垂直な断面における断面積よりも大きくてもよい。
【００２２】
この構成により、容器本体の底壁の下面を下に向けて平坦な支持面に置いたときに、底凸部と支持面との接触面の面積を十分に大きくすることができ、支持面から底凸部の端面に作用する面圧を低下させ、底凸部の摩耗を抑制して耐久性を向上させることができる。また、高さ方向に垂直な力に対する底凸部のせん断強度を増加させ、底凸部の耐久性を向上させることができる。
【００２３】
上記の態様の輸送用容器において、前記容器本体の前記底壁に垂直な方向を高さ方向、該高さ方向に垂直で前記底壁の一側縁に沿う方向を縦方向、該縦方向および前記高さ方向に垂直な方向を横方向としたときに、前記容器本体は、前記縦方向の外寸が前記高さ方向の内寸の２倍以下であり、前記横方向の外寸が前記縦方向の内寸以下であり、前記高さ方向の外寸が前記横方向の内寸以下であってもよい。
【００２４】
この構成により、開口部を上にして配置した下の容器本体の中に、開口部を横方向に向けて縦方向を向く側壁を下の容器本体の底壁に対向させた他の容器本体の下部を収容することができる。さらに、開口部を下にした上の容器本体の縦方向と横方向を、下の容器本体の縦方向と横方向に合わせ、その状態で上の容器本体を、開口部が横方向を向き、下部が下の容器本体の中に収容された容器本体の上部に被せることで、二つの容器本体の中に一つの容器本体を収容することができる。したがって、開口部を対向させて重ね合せた二つの容器本体の内部に一つの容器本体を収容することができ、三つの容器本体を二つの容器本体の大きさでコンパクトに集積させることができる。
【発明の効果】
【００２５】
本開示の上記各態様によれば、二つの容器本体の内部に一つの容器本体を収容して組み合わせた三個一組の容器本体を従来よりも安定して集積させることが可能な輸送用容器を提供することができる。
【図面の簡単な説明】
【００２６】
【図１Ａ】本開示の実施形態に係る輸送用容器の容器本体の斜視図。
【図１Ｂ】図１Ａの容器本体の側壁の上面の拡大図。
【図２Ａ】図１Ａの容器本体の底壁の下面を上に向けた斜視図。
【図２Ｂ】図２Ａの容器本体の底壁の下面の拡大図。
【図３Ａ】図１Ａの容器本体に横向きの容器本体の下部を収容した状態の斜視図。
【図３Ｂ】図３Ａの容器本体の上に下向きの容器本体を対向させた状態の斜視図。
【図３Ｃ】図３Ｂの一つの容器本体が収容された三個一組の容器本体の斜視図。
【図３Ｄ】図３ＣのIIID−IIID線に沿う三個一組の容器本体の断面図。
【図４Ａ】図１Ａの容器本体の開口部に他の容器本体の底壁を対向させた斜視図。
【図４Ｂ】図４Ａの二つの容器本体を重ね合せた状態の斜視図。
【図４Ｃ】図４ＢのIVC−IVC線に沿う重ね合せた二つの容器本体の断面図。
【図５Ａ】図１Ａの二つの容器本体の底壁を対向させた状態の斜視図。
【図５Ｂ】図５Ａの二つの容器本体を重ね合せた状態の斜視図。
【図５Ｃ】図５ＢのVC−VC線に沿う重ね合せた二つの容器本体の断面図。
【図６Ａ】図３Ｃの一組の容器本体の上に他の一組の容器本体を対向させた斜視図。
【図６Ｂ】図６Ａの二組の容器本体を重ね合せた状態の斜視図。
【発明を実施するための形態】
【００２７】
以下、図面を参照して本開示に係る輸送用容器の実施形態を説明する。
【００２８】
図１Ａは、本実施形態に係る輸送用容器１００の容器本体１０の斜視図であり、図１Ｂは、図１Ａの容器本体１０の側壁１２の上面１２ａの拡大図である。図２Ａは、図１Ａの容器本体１０の底壁１１の下面１１ｂを上に向けた斜視図であり、図２Ｂは、図２Ａの容器本体１０の底壁１１の下面１１ｂの拡大図である。
【００２９】
図３Ａは、図１Ａの容器本体１０を二つ使用して、一つの上向きの容器本体１０に一つの横向きの容器本体１０の下部を収容した状態の斜視図である。図３Ｂは、図１Ａの容器本体１０を三つ使用して、図３Ａの二つの容器本体の上に下向きの一つの容器本体１０を対向させた状態の斜視図である。図３Ｃは、図３Ｂの上下二つの容器本体１０の内部に一つの横向きの容器本体１０が収容された三個一組の容器本体１０の斜視図である。図３Ｄは、図３ＣのIIID−IIID線に沿う三個一組の容器本体１０の断面図である。
【００３０】
以下の説明では、輸送用容器１００の縦方向に平行なＸ軸、輸送用容器１００の横方向に平行なＹ軸、および輸送用容器１００の高さ方向に平行なＺ軸からなるＸＹＺ直交座標系を用いて、輸送用容器１００の各部を説明する場合がある。なお、本実施形態において、上下、左右、縦横、高低などの表現は、輸送用容器１００の構成を説明するための便宜的なものであり、輸送用容器１００の使用時の姿勢を限定するものではない。
【００３１】
本実施形態の輸送用容器１００は、たとえば、通函または通い箱として使用され、いくつかの拠点間を循環して繰り返し使用される。より具体的には、たとえば、発送拠点で輸送用容器１００に内容物が収容されて受取先へ発送され、空になった輸送用容器１００が受取先から輸送拠点に回収されて発送拠点へ戻される。このような輸送用容器１００は、内容物が収容されていない空の状態で、複数の輸送用容器１００をコンパクトに集積させることが要求される。詳細については後述するが、本実施形態の輸送用容器１００は、以下の構成を主な特徴としている。
【００３２】
輸送用容器１００は、一端に開口部１０ａを有する矩形箱型の容器本体１０を備え、開口部１０ａを対向させて重ね合せた二つの容器本体１０の内部に一つの容器本体１０を収容可能な容器である。容器本体１０は、底壁１１と、その底壁１１の周囲に立設されて開口部１０ａを画定する側壁１２と、を有している。側壁１２は、開口部１０ａを囲む上面１２ａの周方向に並んだ複数の凹部１２ｂと複数の凸部１２ｃを有している。これら複数の凹部１２ｂと複数の凸部１２ｃは、それぞれ、開口部１０ａの中心点Ｃ１に点対称に配置され、二つの容器本体１０の開口部１０ａを対向させて重ね合せたときに、一方の容器本体１０の複数の凹部１２ｂと複数の凸部１２ｃとが、それぞれ、他方の容器本体１０の複数の凸部１２ｃと複数の凹部１２ｂとに嵌合する位置に設けられている。
【００３３】
以下、本実施形態の輸送用容器１００の各部について、より詳細に説明する。輸送用容器１００は、前述のように、矩形箱型の容器本体１０を備えている。容器本体１０は、矩形平板状の底壁１１と、その底壁１１の周囲に立設されて容器本体１０の上端に矩形の開口部１０ａを画定する矩形筒状の側壁１２とを有している。
【００３４】
本実施形態では、たとえば、底壁１１に垂直な方向を輸送用容器１００の高さ方向（Ｚ軸方向）、その高さ方向に垂直で底壁１１の一側縁に沿う方向を輸送用容器１００の縦方向（Ｘ軸方向）、その縦方向および高さ方向に垂直な方向を輸送用容器１００の横方向（Ｙ軸方向）としている。
【００３５】
すなわち、容器本体１０は、たとえば、縦方向（Ｘ軸方向）を長手方向、横方向（Ｙ軸方向）を短手方向とする長方形の板状の底壁１１を備えている。また、容器本体１０は、縦方向（Ｘ軸方向）および高さ方向（Ｚ軸方向）におおむね平行な一対の矩形平板状の側壁１２と、横方向（Ｙ軸方向）および高さ方向（Ｚ軸方向）におおむね平行な一対の矩形平板状の側壁１２とを有している。容器本体１０は、たとえば、縦方向の外寸Ｌｏが横方向の外寸Ｗｏよりも大きい直方体の箱型の容器である。
【００３６】
また、図示を省略するが、輸送用容器１００は、開口部１０ａを閉鎖する矩形板状の蓋を有してもよい。容器本体１０および蓋の素材としては、たとえば、ポリスチレン系樹脂、ポリエチレン系樹脂、エチレン−スチレン共重合体、ポリプロピレン樹脂等の合成樹脂発泡体、または、非発泡の合成樹脂等を用いることができる。
【００３７】
前述のように、容器本体１０の底壁１１に垂直な方向を高さ方向（Ｚ軸方向）、その高さ方向に垂直で底壁１１の一側縁に沿う方向を縦方向（Ｘ軸方向）、その縦方向および高さ方向に垂直な方向を横方向（Ｙ軸方向）とする。このとき、容器本体１０は、たとえば、縦方向の外寸Ｌｏが高さ方向の内寸Ｈｉの２倍以下であり、横方向の外寸Ｗｏが縦方向の内寸Ｌｉ以下であり、高さ方向の外寸Ｈｏが横方向の内寸Ｗｉ以下である。すなわち、輸送用容器１００は、たとえば、以下の式（１）から（３）を満たしている。
【００３８】
Ｌｏ≦２Ｈｉ  …（１）
Ｗｏ≦  Ｌｉ  …（２）
Ｈｏ≦  Ｗｉ  …（３）
【００３９】
さらに、容器本体１０の底壁１１の厚さｔと側壁１２の厚さｔとが等しいと仮定すると、以下の不等式（４）から（６）が成立する。
【００４０】
Ｌｏ＝Ｌｉ＋２ｔ  …（４）
Ｗｏ＝Ｗｉ＋２ｔ  …（５）
Ｈｏ＝Ｈｉ＋  ｔ  …（６）
【００４１】
上記式（１）から（６）に基づいて、以下の式（７）から（９）が導出される。
【００４２】
Ｌｉ≧８ｔ  …（７）
Ｗｉ≧６ｔ  …（８）
Ｈｉ≧５ｔ  …（９）
【００４３】
このように、輸送用容器１００の容器本体１０が、上記の式（１）から（３）を満たすことで、図３Ａから図３Ｄに示すように、開口部１０ａを対向させて重ね合せた二つの容器本体１０の内部に一つの容器本体１０を収容することが可能になる。より具体的には、容器本体１０は、たとえば、底壁１１の厚さｔと側壁１２の厚さｔとが等しい場合に、縦方向の内寸Ｌｉと、横方向の内寸Ｗｉと、高さ方向の内寸Ｈｉとの比を、８：６：５とすることができる。
【００４４】
これにより、開口部１０ａを対向させて重ね合せた二つの容器本体１０の内部に、一つの容器本体１０を、可及的に隙間を減少させて収容することができる。なお、容器本体１０は、底壁１１の厚さｔと側壁１２の厚さｔが等しい構成には限定されず、底壁１１の厚さｔと、縦方向に沿う側壁１２の厚さｔと、横方向に沿う側壁１２の厚さｔとが、それぞれ異なっていてもよい。また、開口部１０ａを対向させて重ね合せた二つの容器本体１０と、その内部に収容された一つの容器本体１０との間には、適宜、隙間を設けてもよい。
【００４５】
容器本体１０の側壁１２は、前述のように、開口部１０ａを囲む上面１２ａの周方向に並んだ複数の凹部１２ｂと複数の凸部１２ｃを有している。これら複数の凹部１２ｂと複数の凸部１２ｃは、それぞれ、開口部１０ａの中心点Ｃ１に点対称に配置されている。すなわち、複数の凹部１２ｂは、側壁１２の上面１２ａおよび開口部１０ａの中心点Ｃ１を含む平面内で、中心点Ｃ１を中心に１８０°回転させたときに、元の複数の凹部１２ｂに重なる位置に配置されている。同様に、複数の凸部１２ｃは、側壁１２の上面１２ａおよび開口部１０ａの中心点Ｃ１を含む平面内で、中心点Ｃ１を中心に１８０°回転させたときに、元の複数の凸部１２ｃに重なる位置に配置されている。
【００４６】
また、複数の凹部１２ｂと複数の凸部１２ｃは、二つの容器本体１０の開口部１０ａを対向させて重ね合せたときに、一方の容器本体１０の複数の凹部１２ｂと複数の凸部１２ｃとが、それぞれ、他方の容器本体１０の複数の凸部１２ｃと複数の凹部１２ｂとに嵌合する位置に設けられている。
【００４７】
たとえば、複数の凹部１２ｂと複数の凸部１２ｃとは、縦方向（Ｘ軸方向）に平行な開口部１０ａの中心線Ｌ１に対して、線対称に設けられている。また、複数の凹部１２ｂと複数の凸部１２ｃとは、たとえば、横方向（Ｙ軸方向）に平行な開口部１０ａの中心線Ｌ２に対して、線対称に設けられている。すなわち、凹部１２ｂおよび凸部１２ｃは、開口部１０ａの縦方向の中心線Ｌ１を挟んで、縦方向の中心線Ｌ１から横方向に等しい距離に配置され、開口部１０ａの横方向の中心線Ｌ２を挟んで、横方向の中心線Ｌ２から縦方向に等しい距離に配置されている。
【００４８】
また、凹部１２ｂおよび凸部１２ｃは、たとえば、中心線Ｌ１上および中心線Ｌ２上には、配置されていない。また、縦方向（Ｘ軸方向）に対向する一対の側壁１２において、一方の側壁１２の凹部１２ｂと、他方の側壁１２の凸部１２ｃとは、縦方向（Ｘ軸方向）に対向する位置に配置されている。同様に、横方向（Ｙ軸方向）に対向する一対の側壁１２において、一方の側壁１２の凹部１２ｂと、他方の側壁１２の凸部１２ｃとは、横方向（Ｙ軸方向）に対向する位置に配置されている。
【００４９】
また、凹部１２ｂと凸部１２ｃは、たとえば、容器本体１０を囲む側壁１２の上面１２ａの周方向に交互に間隔をあけて設けられている。凹部１２ｂと凸部１２ｃは、たとえば、縦方向と横方向において、それぞれ、等間隔に配置されている。側壁１２の上面１２ａは、矩形の開口部１０ａを囲む矩形枠状の形状を有し、一方の対角に一対の凹部１２ｂを有し、他方の対角に一対の凸部１２ｃを有している。
【００５０】
凹部１２ｂおよび凸部１２ｃは、たとえば、底壁１１に垂直な高さ方向（Ｚ軸方向）から見た平面視で円形である。凹部１２ｂは、たとえば側壁１２の平坦な上面１２ａに円筒状に凹設され、凸部１２ｃは、たとえば側壁１２の平坦な上面１２ａから高さ方向（Ｚ軸方向）に突出する円柱状である。なお、凹部１２ｂおよび凸部１２ｃの形状は、特に限定されず、たとえば多角形筒状および多角形柱状であってもよい。
【００５１】
輸送用容器１００が容器本体１０の開口部１０ａを閉塞する蓋部を有する場合、蓋部の下面の周縁部には、容器本体１０の側壁１２の上面１２ａに設けられた複数の凹部１２ｂおよび複数の凸部１２ｃに対向する位置に、複数の凸部と複数の凹部が設けられる。蓋部の複数の凸部は、蓋部の下面の周縁部に設けられ、容器本体１０の側壁１２の上面１２ａ複数の凹部１２ｂに嵌合する。また、蓋部の複数の凹部は、蓋部の下面の周縁部に設けられ、容器本体１０の側壁１２の上面１２ａの複数の凸部１２ｃを嵌合させる。
【００５２】
容器本体１０の底壁１１の上面１１ａは、たとえば、平坦な面である。一方、底壁１１の下面１１ｂは、たとえば、図２Ａおよび図２Ｂに示すように、複数の底凹部１１ｃと複数の底凸部１１ｄとを有している。また、底壁１１は、下面１１ｂの周縁部１１ｅに複数の周縁凹部１１ｆを有している。複数の周縁凹部１１ｆは、周縁部１１ｅの周方向に互いに間隔をあけて配置されている。
【００５３】
図４Ａは、図１Ａの容器本体１０を二つ用い、一つの容器本体１０の開口部１０ａに、他の一つの容器本体１０の底壁１１を対向させた斜視図である。図４Ｂは、図４Ａの二つの容器本体１０を重ね合せた状態の斜視図である。図４Ｃは、図４ＢのIVC−IVC線に沿う重ね合せた二つの容器本体１０の断面図である。
【００５４】
複数の底凸部１１ｄは、図２Ａに二点鎖線で示すように、底壁１１の下面１１ｂの環状の周縁部１１ｅの内縁に沿って配置されている。底壁１１の下面１１ｂの周縁部１１ｅは、底壁１１の下面１１ｂの外縁に沿う矩形枠状の部分である。この底壁１１の下面１１ｂの周縁部１１ｅは、たとえば、一方の容器本体１０の底壁１１を他方の容器本体１０の開口部１０ａに対向させて配置したときに、一方の容器本体１０の底壁１１の下面１１ｂにおいて、他方の容器本体１０の矩形枠状の側壁１２の上面１２ａに対向する部分である。
【００５５】
すなわち、一方の容器本体１０の底壁１１を、他方の容器本体１０の開口部１０ａに対向させて配置したときに、一方の容器本体１０の底壁１１の下面１１ｂにおける周縁部１１ｅの内縁が、高さ方向（Ｚ方向）において、他方の容器本体１０の開口部１０ａの縁に対向する。そのため、容器本体１０の複数の底凸部１１ｄは、たとえば、二つの容器本体１０を、一方の容器本体１０の開口部１０ａに、他方の容器本体１０の底壁１１を対向させて重ね合せたときに、その他方の容器本体１０の底凸部１１ｄがその一方の容器本体１０の開口部１０ａの内側に嵌合する位置に設けられている。
【００５６】
これら複数の底凹部１１ｃと複数の底凸部１１ｄは、たとえば図２Ａに示すように、それぞれ底壁１１の下面１１ｂの中心点Ｃ２に点対称に配置されている。すなわち、複数の底凹部１１ｃは、底壁１１の下面１１ｂを含む平面内で、中心点Ｃ２を中心に１８０°回転させたときに、元の複数の底凹部１１ｃに重なる位置に配置されている。同様に、複数の底凸部１１ｄは、底壁１１の下面１１ｂを含む平面内で、中心点Ｃ２を中心に１８０°回転させたときに、元の複数の底凸部１１ｄに重なる位置に配置されている。すなわち、複数の底凹部１１ｃと複数の底凸部１１ｄとは、たとえば、縦方向（Ｘ軸方向）に平行な底壁１１の下面１１ｂの中心線Ｌ３に対して、線対称に設けられている。また、複数の底凹部１１ｃと複数の底凸部１１ｄとは、たとえば、横方向（Ｙ軸方向）に平行な底壁１１の下面１１ｂの中心線Ｌ４に対して、線対称に設けられている。
【００５７】
また、複数の底凹部１１ｃと複数の底凸部１１ｄは、たとえば、底壁１１の下面１１ｂの縦方向（Ｘ軸方向）と横方向（Ｙ軸方向）において、それぞれ、等間隔に交互に配置されている。すなわち、底壁１１は、たとえば、複数の底凹部１１ｃと複数の底凸部１１ｄとが縦方向に交互に並んだ複数の列と、複数の底凹部１１ｃと複数の底凸部１１ｄとが横方向に交互に並んだ複数の行を有している。これにより、複数の底凹部１１ｃと複数の底凸部１１ｄは、底壁１１の下面１１ｂの縦方向と横方向にそれぞれ交互に千鳥状に並んでいる。
【００５８】
底凹部１１ｃおよび底凸部１１ｄは、たとえば、底壁１１に垂直な高さ方向（Ｚ軸方向）から見た平面視で円形である。底凹部１１ｃは、たとえば円筒状であり、底凸部１１ｄは、たとえば円柱状である。また、底凹部１１ｃおよび底凸部１１ｄの形状は、特に限定されず、たとえば多角形筒状および多角形柱状であってもよい。たとえば、底凹部１１ｃおよび底凸部１１ｄの形状が、六角形筒状および六角形柱状である場合には、底凹部１１ｃおよび底凸部１１ｄを、高さ方向（Ｚ軸方向）から見た平面視で、隙間のない最密充填の配置にすることができる。なお、底凹部１１ｃおよび底凸部１１ｄの形状が円筒状および円柱状の場合に、最密充填の配置を採用してもよい。
【００５９】
また、底壁１１の下面１１ｂの周縁部１１ｅに設けられた複数の周縁凹部１１ｆは、たとえば次のように構成されている。図２Ａに示すように、複数の周縁凹部１１ｆは、底壁１１の下面１１ｂの周縁部１１ｅの周方向に互いに間隔をあけて配置されている。また、図４Ａから図４Ｃに示すように、二つの容器本体１０を、一方の容器本体１０の底壁１１を他の容器本体１０の開口部１０ａに対向させて重ね合せる場合を想定する。このとき、容器本体１０の底壁１１の複数の周縁凹部１１ｆは、一方の容器本体１０の側壁１２の上面１２ａに設けられた複数の凸部１２ｃが、他方の容器本体１０の複数の周縁凹部１１ｆに嵌合する位置に設けられている。
【００６０】
周縁凹部１１ｆの大きさおよび形状は、たとえば、側壁１２の上面１２ａに設けられた凹部１２ｂの大きさおよび形状とおおむね等しい。周縁凹部１１ｆは、たとえば、凹部１２ｂと同様に、底壁１１に垂直な高さ方向（Ｚ軸方向）から見た平面視で円形であり、高さ方向（Ｚ軸方向）に深さを有する円筒状の形状を有している。
【００６１】
また、底壁１１の下面１１ｂに設けられた底凸部１１ｄの高さ方向（Ｘ軸方向）に垂直な断面における断面積は、たとえば、側壁１２の上面１２ａに設けられた凸部１２ｃの高さ方向（Ｘ軸方向）に垂直な断面における断面積よりも大きい。底凸部１１ｄの先端面すなわち下端面および凸部１２ｃの先端面すなわち上端面は、たとえば、高さ方向（Ｘ軸方向）に垂直な面である。この場合、底凸部１１ｄの上記断面積は、たとえば、底凸部１１ｄの先端面の面積に等しく、凸部１２ｃの上記断面積は凸部１２ｃの先端面の面積に等しい。
【００６２】
図５Ａは、図１Ａの容器本体１０を二つ用い、二つの容器本体１０の底壁１１を対向させた状態の斜視図である。図５Ｂは、図５Ａの二つの容器本体１０を上下に重ね合せた状態の斜視図である。図５Ｃは、図５ＢのVC−VC線に沿う重ね合せた二つの容器本体１０の断面図である。
【００６３】
容器本体１０の複数の底凹部１１ｃと複数の底凸部１１ｄは、前述のように、それぞれ底壁１１の下面１１ｂの中心点Ｃ２に点対称に配置されている。さらに、複数の底凹部１１ｃと複数の底凸部１１ｄは、たとえば、二つの容器本体１０の底壁１１を対向させて重ね合せたときに、一方の容器本体１０の複数の底凹部１１ｃと複数の底凸部１１ｄとが、それぞれ、他方の容器本体１０の複数の底凸部１１ｄと複数の底凹部１１ｃとに嵌合する位置に設けられている。
【００６４】
より詳細には、複数の底凹部１１ｃと複数の底凸部１１ｄは、たとえば、二つの容器本体１０の底壁１１を対向させて重ね合せたときに、一方の容器本体１０の複数の底凹部１１ｃに他方の容器本体１０の複数の底凸部１１ｄが嵌合する位置に設けられている。また、複数の底凹部１１ｃと複数の底凸部１１ｄは、たとえば、二つの容器本体１０の底壁１１を対向させて重ね合せたときに、一方の容器本体１０の複数の底凸部１１ｄが、他方の容器本体１０の複数の底凹部１１ｃに嵌合する位置に設けられている。
【００６５】
以下、本実施形態の輸送用容器１００の作用について説明する。
【００６６】
前述のように、本実施形態の輸送用容器１００は、たとえば、通函または通い箱として使用され、いくつかの拠点間を循環して繰り返し使用される。その過程で、複数の輸送用容器１００は、内容物が収容されていない空の状態で保管されたり、輸送されたりする場合がある。このような場合、複数の輸送用容器１００をコンパクトに集積させることが要求される。
【００６７】
ここで、本実施形態の輸送用容器１００は、図３Ａから図３Ｄに示すように、一端に開口部１０ａを有する矩形箱型の容器本体１０を備え、開口部１０ａを対向させて重ね合せた二つの容器本体１０の内部に一つの容器本体１０を収容可能な容器である。容器本体１０は、底壁１１と、その底壁１１の周囲に立設されて開口部１０ａを画定する側壁１２と、を有している。側壁１２は、開口部１０ａを囲む上面１２ａの周方向に並んだ複数の凹部１２ｂと複数の凸部１２ｃを有している。これら複数の凹部１２ｂと複数の凸部１２ｃは、それぞれ、開口部１０ａの中心点Ｃ１に点対称に配置され、二つの容器本体１０の開口部１０ａを対向させて重ね合せたときに、一方の容器本体１０の複数の凹部１２ｂと複数の凸部１２ｃとが、それぞれ、他方の容器本体１０の複数の凸部１２ｃと複数の凹部１２ｂとに嵌合する位置に設けられている。
【００６８】
この構成により、開口部１０ａを対向させて重ね合せた二つの容器本体１０の内部に一つの容器本体１０を収容することができ、三つの容器本体１０を二つの容器本体１０の大きさでコンパクトに集積させることができる。また、開口部１０ａを対向させて重ね合せた二つの容器本体１０は、一方の容器本体１０の凸部１２ｃが他方の容器本体１０の凹部１２ｂに嵌合し、他方の容器本体１０の凸部１２ｃが一方の容器本体１０の凹部１２ｂに嵌合する。
【００６９】
これにより、開口部１０ａを対向させて重ね合せた二つの容器本体１０を組み合わせて一体化させることができる。したがって、複数の凸部１２ｃと複数の凹部１２ｂを互いに嵌合させて一体化させた二つの容器本体１０の内部に一つの容器本体１０を収容することができ、三個一組に組み合わせた容器本体１０の崩れが防止され、三個一組の容器本体１０を従来よりも安定して集積させることが可能になる。なお、輸送用容器１００が蓋を有する場合、複数の蓋を複数の容器本体１０とは別に重ねて集積させてもよいし、三個一組の容器本体１０の上に三つの蓋を重ねて集積させてもよい。
【００７０】
また、本実施形態の輸送用容器１００において、容器本体１０の底壁１１は、前述のように、下面１１ｂに複数の底凹部１１ｃと複数の底凸部１１ｄとを有している。これら複数の底凹部１１ｃと複数の底凸部１１ｄは、それぞれ、底壁１１の下面１１ｂの中心点Ｃ２に点対称に配置されている。さらに、複数の底凹部１１ｃと複数の底凸部１１ｄは、図５Ａから図５Ｃに示すように、二つの容器本体１０の底壁１１を対向させて重ね合せたときに、一方の底壁１１の複数の底凹部１１ｃと複数の底凸部１１ｄとが、それぞれ、他方の容器本体１０の複数の底凸部１１ｄと複数の底凹部１１ｃとに嵌合する位置に設けられている。
【００７１】
図６Ａは、図３Ｃの三個一組の容器本体１０の上に、他の三個一組の容器本体１０を対向させた斜視図である。図６Ｂは、図６Ａの二組の容器本体１０を重ね合せた状態の斜視図である。図６Ａおよび図６Ｂに示すように、二つの容器本体１０の内部に一つの容器本体１０を収容して三個一組に組み合わせた容器本体１０の上に、同様に組み合わせた他の三個一組の容器本体１０を積み重ねる場合を想定する。
【００７２】
この場合、上記のように構成された複数の底凹部１１ｃと複数の底凸部１１ｄによって、上下二組の三個一組の容器本体１０を一体化させることができる。より具体的には、一組の容器本体１０において、内部に一つの容器本体１０を収容する外側の上下二つの容器本体１０のうち、下の容器本体１０の底壁１１の下面１１ｂが下を向いて一組の容器本体１０の底面になっており、上の容器本体１０の底壁１１の下面１１ｂが上を向いて一組の容器本体１０の上面になっている。すなわち、三個一組の容器本体１０は、上面と底面の双方に複数の底凹部１１ｃと複数の底凸部１１ｄを有している。
【００７３】
そのため、三個一組の容器本体１０の上に、他の三個一組の容器本体１０を積み重ねると、下の一組の容器本体１０の上面の複数の底凸部１１ｄが、上の一組の容器本体１０の底面の複数の底凹部１１ｃに嵌合し、上の一組の容器本体１０の底面の複数の底凸部１１ｄが、下の一組の容器本体１０の上面の複数の底凹部１１ｃに嵌合する。これにより、上下二組の容器本体１０を一体化させることができ、上下二組の容器本体１０の崩れが防止され、複数組の三個一組の容器本体１０を安定して上下に積み重ねることが可能になる。
【００７４】
また、本実施形態の輸送用容器１００において、複数の底凸部１１ｄは、図２Ａに二点鎖線で示す底壁１１の下面１１ｂの環状の周縁部１１ｅの内縁に沿って配置されている。さらに、図４Ａから図４Ｃに示すように、二つの容器本体１０を、一方の容器本体１０の開口部１０ａに、他方の容器本体１０の底壁１１を対向させて重ね合せる場合を想定する。このとき、複数の底凸部１１ｄは、他方の容器本体１０の複数の底凸部１１ｄが、一方の容器本体１０の開口部１０ａの内側に嵌合する位置に設けられている。
【００７５】
この構成により、一つの容器本体１０の開口部１０ａに、他の一つの容器本体１０の底壁１１の下面１１ｂを対向させて二つの容器本体１０を上下に積み重ねたときに、上の容器本体１０の底壁１１の下面の複数の底凸部１１ｄが、下の容器本体１０の開口部１０ａの内側に嵌合する。これにより、開口部１０ａを上方に向けた二つの容器本体１０を上下に積み重ねて一体化させることができ、上下の容器本体１０の崩れを防止して複数の容器本体１０を安定して集積させることができる。
【００７６】
また、本実施形態の輸送用容器１００において、容器本体１０の底壁１１は、下面１１ｂの周縁部１１ｅに複数の周縁凹部１１ｆを有している。これら複数の周縁凹部１１ｆは、底壁１１の下面１１ｂの周縁部１１ｅの周方向に互いに間隔をあけて配置されている。さらに、図４Ａから図４Ｃに示すように、二つの容器本体１０を、一方の容器本体１０の開口部１０ａに、他方の容器本体１０の底壁１１を対向させて重ね合せる場合を想定する。このとき、複数の周縁凹部１１ｆは、一方の容器本体１０の側壁１２の上面１２ａに設けられた複数の凸部１２ｃが、他方の容器本体１０の底壁１１の下面１１ｂに設けられた複数の周縁凹部１１ｆに嵌合する位置に設けられている。
【００７７】
この構成により、一つの容器本体１０の開口部１０ａに他の一つの容器本体１０の底壁１１の下面１１ｂを対向させて二つの容器本体１０を上下に積み重ねたときに、下の容器本体１０の側壁１２の上面１２ａの複数の凸部１２ｃが、上の容器本体１０の底壁１１の下面１１ｂの複数の周縁凹部１１ｆに嵌合する。これにより、開口部１０ａを上方に向けた二つの容器本体１０を上下に積み重ねて一体化させることができ、上下の容器本体１０の崩れを防止して複数の容器本体１０を安定して集積させることができる。
【００７８】
また、本実施形態の輸送用容器１００において、複数の底凹部１１ｃと複数の底凸部１１ｄは、底壁１１の下面１１ｂの縦方向と横方向において、それぞれ等間隔に交互に配置されている。
【００７９】
この構成により、容器本体１０を底壁１１の下面１１ｂを下にして平坦な支持面の上に置いたときに、底壁１１の下面１１ｂの縦方向と横方向において、それぞれ複数の底凸部１１ｄが支持面にバランスよく接し、容器本体１０が安定する。また、複数組の三個一組の容器本体１０を積み重ねるときに、上の一組の容器本体１０の複数の底凹部１１ｃに下の一組の容器本体１０の複数の底凸部１１ｄを、下の一組の容器本体１０の複数の底凹部１１ｃに上の一組の容器本体１０の複数の底凸部１１ｄを、それぞれ、底壁１１の下面１１ｂの縦方向および横方向にバランスよく嵌合させることができる。これにより、複数組の三個一組の容器本体１０を積み重ねるときに、上下の三個一組の容器本体１０の崩れを防止して複数の容器本体１０を安定して集積させることができる。
【００８０】
また、本実施形態の輸送用容器１００において、側壁１２の上面１２ａに設けられた凹部１２ｂおよび凸部１２ｃ、底壁１１の下面１１ｂに設けられた底凹部１１ｃおよび底凸部１１ｄ、ならびに周縁凹部１１ｆは、底壁１１に垂直な高さ方向（Ｚ軸方向）から見た平面視で円形である。
【００８１】
この構成により、容器本体１０の側壁１２の上面１２ａの凹部１２ｂまたは底壁１１の下面１１ｂの周縁凹部１１ｆに、他の容器本体１０の側壁１２の上面１２ａの凸部１２ｃを嵌合させやすくなり、容器本体１０の底壁１１の下面１１ｂの底凹部１１ｃに他の容器本体１０の底壁１１の下面１１ｂの底凸部１１ｄを嵌合させやすくなる。また、凹部１２ｂおよび凸部１２ｃ、底凹部１１ｃおよび底凸部１１ｄ、ならびに周縁凹部１１ｆは、底壁１１に垂直な高さ方向（Ｚ軸方向）から見た平面視で角のない円形であるので、底壁１１に沿う方向の力を受けて欠けることが防止され、耐久性を向上させることができる。
【００８２】
また、本実施形態の輸送用容器１００において、底壁１１の底凸部１１ｄの高さ方向（Ｚ軸方向）に垂直な断面における断面積は、側壁１２の凸部１２ｃの高さ方向（Ｚ軸方向）に垂直な断面における断面積よりも大きい。
【００８３】
この構成により、容器本体１０の底壁１１の下面１１ｂを下に向けて平坦な支持面に置いたときに、底凸部１１ｄと支持面との接触面の面積を十分に大きくすることができ、支持面から底凸部１１ｄの端面に作用する面圧を低下させ、底凸部１１ｄの摩耗を抑制して耐久性を向上させることができる。また、高さ方向（Ｚ軸方向）に垂直な力に対する底凸部１１ｄのせん断強度を増加させ、底凸部１１ｄの耐久性を向上させることができる。
【００８４】
また、本実施形態の輸送用容器１００において、容器本体１０の底壁１１に垂直な方向を高さ方向（Ｚ軸方向）、その高さ方向に垂直で底壁１１の一側縁に沿う方向を縦方向（Ｘ軸方向）、これら縦方向および高さ方向に垂直な方向を横方向（Ｙ軸方向）とする。このとき、容器本体１０は、縦方向の外寸Ｌｏが高さ方向の内寸Ｈｉの２倍以下であり、横方向の外寸Ｗｏが縦方向の内寸Ｌｉ以下であり、高さ方向の外寸Ｈｏが横方向の内寸Ｗｉ以下である。
【００８５】
この構成により、図３Ａに示すように、開口部１０ａを上にして配置した下の容器本体１０の中に、開口部１０ａを横方向に向けて縦方向を向く側壁１２を下の容器本体１０の底壁１１に対向させた他の容器本体１０の下部を収容することができる。さらに、開口部１０ａを下にした上の容器本体１０の縦方向と横方向を、下の容器本体１０の縦方向と横方向に合わせ、その状態で、図３Ｂに示すように、上の容器本体１０を、開口部１０ａが横方向を向き、下部が下の容器本体１０の中に収容された容器本体１０の上部に被せることで、二つの容器本体１０の中に一つの容器本体１０を収容することができる。したがって、開口部１０ａを対向させて重ね合せた二つの容器本体１０の内部に一つの容器本体１０を収容することができ、三つの容器本体１０を二つの容器本体１０の大きさでコンパクトに集積させることができる。
【００８６】
以上説明したように、本実施形態によれば、二つの容器本体１０の内部に一つの容器本体１０を収容して組み合わせた三個一組の容器本体１０を従来よりも安定して集積させることが可能な輸送用容器１００を提供することができる。
【００８７】
以上、図面を用いて本開示に係る輸送用容器の実施形態を詳述してきたが、具体的な構成はこの実施形態に限定されるものではなく、本開示の要旨を逸脱しない範囲における設計変更等があっても、それらは本開示に含まれるものである。
【符号の説明】
【００８８】
１０    容器本体
１０ａ  開口部
１１    底壁
１１ｂ  下面
１１ｃ  底凹部
１１ｄ  底凸部
１１ｅ  周縁部
１１ｆ  周縁凹部
１２    側壁
１２ａ  上面
１２ｂ  凹部
１２ｃ  凸部
１００  輸送用容器
Ｃ１    開口部の中心点
Ｃ２    下面の中心点
Ｈｉ    高さ方向の内寸
Ｈｏ    高さ方向の外寸
Ｌｉ    縦方向の内寸
Ｌｏ    縦方向の外寸
Ｗｉ    横方向の内寸
Ｗｏ    横方向の外寸
【図１Ａ】
2020019507.tif 000003
【図１Ｂ】
2020019507.tif 000004
【図２Ａ】
2020019507.tif 000005
【図２Ｂ】
2020019507.tif 000006
【図３Ａ】
2020019507.tif 000007
【図３Ｂ】
2020019507.tif 000008
【図３Ｃ】
2020019507.tif 000009
【図３Ｄ】
2020019507.tif 000010
【図４Ａ】
2020019507.tif 000011
【図４Ｂ】
2020019507.tif 000012
【図４Ｃ】
2020019507.tif 000013
【図５Ａ】
2020019507.tif 000014
【図５Ｂ】
2020019507.tif 000015
【図５Ｃ】
2020019507.tif 000016
【図６Ａ】
2020019507.tif 000017
【図６Ｂ】
2020019507.tif 000018